(57)【要約】      （修正有）【課題】モバイル端末機器の中でも電話機能を有するものは、携帯電話からの考えがあり、机やテーブルに立てて使用するといった発想が少なかった。しかしモバイル端末機器は、電話で話す以外にメールを読む、インターネットを見る、あるいは画面上に触れるといったニーズがあり、机やテーブルに傾斜して置き、使用したいという要望が生じている。また一方で、その形態は、メーカーによっても異なり、カバーを用いる者もあり、多くのモバイル端末に対応できるスタンドを提供する。【解決手段】任意の大きさのダンボールあるいは紙を左右両端から折り、端部を接着し、モバイル端末を差し込める切り込みがある天面を中央部より折り、垂直に立ち上げると同時に下部に爪を出させ、底面の穴に引っかけることでわずかな三角形の空間を天面と底面の間に生じさせることで天面の垂直部分を保持することでモバイル端末のスタンドを形成する。【選択図】図８
0003170006.tif 000002
【実用新案登録請求の範囲】
【請求項１】
左右両端が折られ、左右端部が固定されたダンボールあるいは紙あるいはプラスチックからなるもので、折りたたまれた状態から天面の中心部にある端部を立ち上げると持ちあげた端部とは反対側にある爪が下に突出し、底面に設けられた穴に合致すると天面と底面と爪によって生じるごく薄い三角形の空間が生成されることで垂直面を保持し、垂直面には、あらかじめモバイル端末機器を差し込むための切れ込みが設けてある折りたたみ式モバイル端末機器用スタンド。
【考案の詳細な説明】
【考案の詳細な説明】
【技術分野】
【０００１】紙によるスタンドの構造とそれを利用したモバイル端末機器用スタンドに関する。
【背景技術】
【０００２】モバイル端末機器のなかでもＡ５サイズなど大きなものについては、傾斜して置くことが可能なものがあり、カバーと一体となっているものがあった。
【考案が解決しようとする課題】
【０００３】モバイル端末機器の中でもスマートフォンや携帯電話のように小さなタイプでは、机上において見るためのスタンドはなかった。
【０００４】話すだけでなく、見ることも利用手段の一つとして重要視されるスマートフォンは、見るために傾斜をつけて机やテーブルなどに置きたいと言うニーズが存在した。
【０００５】またスマートフォンは、常に持ち歩くため、スタンド自体もかさばるものでは、持ち運びにくいといった課題も存在した。
【０００６】さらに画面を横にしても、上下を逆さにしても画面が回転して通常に見えることから横でも縦でも置くことを可能にするスタンドが求められた。
【課題を解決するための手段】
【０００７】二つ折りにしたダンボールあるいは紙の両端を折り、端部を接着などで固定し、天面となる部分の中央よりほぼ垂直に折り曲げると中央部の切れ込みから自動的に爪が下に突出し、底面に設けられた穴に爪が引っかかることでスタンドを形成し、ほぼ垂直にたちあがっている部分にモバイル端末機器を挟み込めるほどの切れ込みを入れたものを２列に並列配置することで折りたたみ式モバイル端末機器用のスタンドを構成する。
【作用】
【０００８】紙によるスタンドの構造として、任意の大きさのダンボールあるいは紙を中央部（Ｉ−１、Ｉ−２）にて二つ折りにし、端部（Ｇ１、Ｇ２）を接着し、下となる底面（Ａ）には、指抜き穴（Ｅ）と一体となった接合用の穴（Ｄ）を設けておき、天面（Ｂ）と脚部（Ｃ）には、接合用の爪（Ｆ）の切れ込みを設けて置く。
【０００９】二つ折りにした天面から脚部（Ｃ）を山折部（Ｈ−１、Ｈ−２）にてほぼ垂直に立ち上げると接合部の爪（Ｆ）が自動的に下に出て、接合用の穴（Ｄ）にひっかかり、脚部（Ｃ）を垂直に保持する構造を紙によるスタンドの基本構造とする。
【００１０】垂直に保持されている脚部（Ｃ）にあらかじめスマートフォンあるいは、モバイル端末機器が挿しこめる程度の切れ込みを入れておき、同様の脚部（Ｃ）及び接合用の穴（Ｄ）を二列並列配置することでモバイル端末機器用のスタンドを構成する。
【００１１】当考案におけるモバイル端末機器用スタンドは、ダンボールあるいは紙にて製造する事を想定としているがプラスチックあるいは、竹あるいは、木あるいは、金属でも製造可能である。
【００１２】当考案は、前記紙によるスタンド構造を元としたモバイル端末機器用のスタンドであるが単純なスタンドとして銘板や解説版、ＰＯＰなどにも利用可能なものである。
【考案の効果】
【００１３】モバイル端末機器を机やテーブル上に縦でも横でも傾斜させて置くことができ、不必要な時には、畳んでポケットやカバンにも収納できる簡便性を持たせた。
【図面の簡単な説明】
【００１４】
【図１】  紙によるスタンド構造の展開例
【図２】  図１を折り畳んだ状態の平面図
【図３】  図１を折り畳んだ状態の底面図
【図４】  図２のＸ−１、Ｘ−２の断面図
【図５】  図２を組立てた状態の側断面図
【図６】  図２を組立てた状態の斜視図
【図７】  スタンド構造を利用したモバイル端末機器用スタンドの展開例−１
【図８】  図７の斜視図
【図９】  図８の斜視図にモバイル端末機器を設置した図
【図１０】  スタンド構造を利用したモバイル端末機器用スタンドの展開例−２
【図１１】  図１０を組立てた斜視図
【図１２】  スタンド構造を利用したモバイル端末機器用スタンドの展開例−３
【図１３】  図１２を組立てた斜視図
【図１４】  天面と底面と爪から生じる三角形の空間を示す図
【考案を実施するための形態】
【００１５】  以下、本考案の実施の形態を添付図面に基づき具体的に説明する。
【００１６】    図１は、当案のスタンド構造の基本を示す展開例である。厚さ約１ミリのＧダンボールあるいは厚紙を用いて製造する事を想定しているため、側面図及び平面図と底面図は省略している。
【００１７】    図２は、図１を二つ折りにした平面図である。接着部（Ｇ−１、Ｇ−２）を用いて接着している。
【００１８】    図３は、図１を二つ折りにした底面図である。
【００１９】    図４は、図２のＸ−１、Ｘ−２の断面図である。
【００２０】    図５は、図２及び図４の脚部（Ｃ）を垂直に折り曲げた断面図である。脚部（Ｃ）を折り曲げると自動的に爪（Ｆ）が下におり、底面（Ａ）に設けられている接合用の穴（Ｄ）に引っかかるようになっている。
【００２１】    図６は、図５の斜視図である。
【００２２】    図７は、図１から図６までに示したスタンドの基本構造を用いたモバイル端末機器用スタンドの展開例として角丸の四角としている。素材として厚み約１ｍｍのＧダンボールもしくは厚紙を想定しているため、側面図及び平面図と底面図は省略している。
【００２３】  図８は、図７を組立てた斜視図である。
【００２４】  図９は、図７を組立て、モバイル端末機器を設置した斜視図である。
【００２５】  図１０は、図１から図６までに示したスタンドの基本構造を用いたモバイル端末機器用スタンドの展開例として円形としている。両端は、必ずしも折って一枚の状態で成形される必要はなく、図１０のように天面と底面を切り離して成型することも可能である。素材として厚み約１ｍｍのＧダンボールもしくは厚紙を想定しているため、側面図及び平面図と底面図は省略している。
【００２６】  図１１は、図１０を組立てた斜視図である。
【００２７】  図１２は、八角形に形成した展開例である。側面図及び平面図と底面図は省略している。
【００２８】  図１３は、図１２の展開図を組立てた斜視図である。
【００２９】  図１４は、天面と底面と爪から生じる三角形の空間を示す図であり、この空間によって垂直面の垂直姿勢を保持している。
【産業上の利用の可能性】
【００３０】    モバイル端末機器のスタンドあるいは、ピクチャー・スタンドあるいは、銘板、解説板、ＰＯＰ
【符号の説明】
【００３１】  Ａ  底面
Ｂ  天面
Ｃ  脚部
Ｄ  接合用の穴
Ｅ  指抜き穴
Ｆ  爪
Ｇ−１  接着部
Ｇ−２  接着部
Ｈ−１  山折部
Ｈ−２  山折部
Ｉ−１  谷折部
Ｉ−２  谷折部
Ｊ  モバイル端末機器用切れ込み
Ｋ  天面と底面と爪から生じる三角形の空間
Ｘ−１  断面図位置
Ｘ−２  断面図位置
【図１】
0003170006.tif 000003
【図２】
0003170006.tif 000004
【図３】
0003170006.tif 000005
【図４】
0003170006.tif 000006
【図５】
0003170006.tif 000007
【図６】
0003170006.tif 000008
【図７】
0003170006.tif 000009
【図８】
0003170006.tif 000010
【図９】
0003170006.tif 000011
【図１０】
0003170006.tif 000012
【図１１】
0003170006.tif 000013
【図１２】
0003170006.tif 000014
【図１３】
0003170006.tif 000015
【図１４】
0003170006.tif 000016
【手続補正書】
【提出日】平成23年6月9日(2011.6.9)
【手続補正１】
【補正対象書類名】実用新案登録請求の範囲
【補正対象項目名】全文
【補正方法】変更
【補正の内容】
【実用新案登録請求の範囲】
【請求項１】
一枚のダンボールあるいは紙あるいはプラスチックで成型し、左右から折りこまれて中央に位置する端部を山折に曲げて起こすと山折部より底面に向かって爪が突出し、底面に設けられた穴に合致することで前記山折した端部より持ち上げられた面がほぼ垂直に固定され、前記端部より持ち上げられた面にあらかじめモバイル端末機を差し込む切り込みを設けたモバイル端末機器用スタンド。